(57)【要約】【課題】容易に製造することができる光通信モジュールを提供する。【解決手段】光出射部１０８と光合波部１０９とを備えた光通信モジュール１Ａであって、光出射部１０８は、複数の光源部を有し、光出射部１０８は、第１の偏波面を有する合波光Ｗ１と、第２の偏波面を有する合波光Ｗ２とを生成し、光出射部１０８は、合波光Ｗ１を光路Ｌ１に出射すると共に合波光Ｗ２を光路Ｌ２に出射し、光合波部１０９は、光反射板１３４と偏波選択フィルタ１３６とを有し、光反射板１３４は、光路Ｌ１と交差する位置に配置され、偏波選択フィルタ１３６は、光路Ｌ２と光路Ｌ３とが互いに交差する位置に配置され、偏波選択フィルタ１３６は、光路Ｌ２から入射する第２の偏光を光路Ｌ４へ透過すると共に光路Ｌ３から入射する第１の偏光を光路Ｌ４へ反射し、第１の偏波面は、第２の偏波面に対して傾いている。【選択図】図１
2013145356.tif 000002
【特許請求の範囲】
【請求項１】
光出射部と前記光出射部から出射される光を合波する光合波部とを備えた光通信モジュールであって、
前記光出射部は、複数の光源部を有し、
前記光出射部は、前記複数の光源部から出射される光から、第１の偏波面を有する第１の偏光と、第２の偏波面を有する第２の偏光とを生成し、
前記光出射部は、前記第１の偏光を第１の光路に出射すると共に前記第２の偏光を第２の光路に出射し、
前記光合波部は、第１の光反射板と偏波選択フィルタとを有し、
前記第１の光反射板は、前記第１の光路と交差する位置に配置され、
前記第１の光反射板は、前記第１の光路から入射する前記第１の偏光を第３の光路に反射し、
前記偏波選択フィルタは、前記第２の光路と前記第３の光路とが互いに交差する位置に配置され、
前記偏波選択フィルタは、前記第２の光路から入射する前記第２の偏光を第４の光路へ透過すると共に前記第３の光路から入射する前記第１の偏光を前記第４の光路へ反射し、
前記第１の偏波面は、前記第２の偏波面に対して傾いている、
ことを特徴とする光通信モジュール。
【請求項２】
前記光出射部は、第１の光源部と、第２の光源部と、第３の光源部と、第２の光反射板と、波長選択フィルタとを有し、
前記第１の光源部は、第１の波長帯域の光を第５の光路に出射し、
前記第２の光源部は、第２の波長帯域の光を第６の光路に出射し、
前記第３の光源部は、第３の波長帯域の光を第７の光路に出射し、
前記第２の光反射板は、前記第５の光路と交差する位置に配置され、
前記第２の光反射板は、前記第５の光路から入射する前記第１の波長帯域の光を第８の光路へ反射し、
前記波長選択フィルタは、前記第７の光路と前記第８の光路とが互いに交差する位置に配置され、
前記波長選択フィルタは、前記第７の光路から入射する前記第３の波長帯域の光を前記第１の光路へ透過し、
前記波長選択フィルタは、前記第８の光路から入射する前記第１の波長帯域の光を前記第１の光路へ反射し、
前記第２の波長帯域は前記第１の波長帯域よりも大きく設定され、
前記第３の波長帯域は前記第２の波長帯域よりも大きく設定され、
前記第１の波長帯域の光と前記第３の波長帯域の光とは、前記第１の偏波面及び前記第２の偏波面の一方を有し、
前記第２の波長帯域の光は、前記第１の偏波面及び前記第２の偏波面の他方を有する、ことを特徴とする、請求項１に記載の光通信モジュール。
【請求項３】
前記光出射部は、前記第８の光路上に配置され、
前記光出射部は、前記第２の光反射板が光学的に接続されている第１の端面と、前記波長選択フィルタが光学的に接続されている第２の端面とを有している、ことを特徴とする請求項２に記載の光通信モジュール。
【請求項４】
前記光合波部は、前記第３の光路上に配置され、
前記光合波部は、前記第１の光反射板が光学的に接続されている第３の端面と、前記偏波選択フィルタが光学的に接続されている第４の端面とを有している、ことを特徴とする請求項１〜３のいずれか一項に記載の光通信モジュール。
【発明の詳細な説明】
【技術分野】
【０００１】
本発明は、光通信モジュールに関する。
【背景技術】
【０００２】
光通信システムの分野では、光ファイバ１本あたりの伝送容量が大容量化されている。例えば、メトロ系及びメトロアクセス系の光通信システム分野では、ファイバ１本当たりの伝送容量が毎秒４０ギガビットから毎秒１００ギガビットである。大容量化を実現する有効な技術として、ＷＤＭ（Ｗａｖｅｌｅｎｇｔｈ  Ｄｉｖｉｓｉｏｎ  Ｍｕｌｔｉｐｌｅｘｉｎｇ）が知られている。ＷＤＭは、互いに異なる波長を有する信号光を多重化して伝送容量を増加させる技術である。毎秒１００ギガビットの伝送速度を有する光伝送システムでは、ＬＡＮ（Ｌｏｃａｌ  Ａｒｅａ  Ｎｅｔｗｏｒｋ）−ＷＤＭの標準化が行われている。この規格では、１波長あたり情報の伝送速度が２５Ｇｂｐｓであり、波長間隔が８００ＧＨｚである４つの信号光が多重化される。それぞれの信号光の波長は、１２９５．５６ｎｍ、１３００．０５ｎｍ、１３０４．５８ｎｍ、１３０９．１４ｎｍである。光送受信トランシーバは、光合分波器を備えると共に、業界標準のＭＳＡ（Ｍｕｌｔｉ  Ｓｏｕｓｅ  Ａｇｒｅｅｍｅｎｔ）仕様であるＣＦＰ（１００Ｇ−ｆｏｒｍ  Ｆａｃｔｏｒ  Ｐｌｕｇｇａｂｌｅ）に準拠して設計されている。今後、インターネットセンターなどに用いられる光伝送機器において、ラインスロットあたりの高密度化が求められている。このため、ＣＦＰ―ＭＳＡ規格の規格に準拠した光トランシーバよりも、さらに小型であり、４０Ｇｂｐｓ、１００Ｇｂｐｓの伝送速度を有する光送受信トランシーバ（ＣＦＰ２或いはＣＦＰ４）が切望されている。
【０００３】
特許文献１には、４波長多重化光トランシーバの小型化に関する送信側の光モジュールの構成が記載されている。この光モジュールは、誘電体多層膜からなる波長選択フィルタを用いている。
【先行技術文献】
【特許文献】
【０００４】
【特許文献１】特開２００５―１４０９６０号公報
【発明の概要】
【発明が解決しようとする課題】
【０００５】
特許文献１の波長選択フィルタは、ＬＡＮ―ＷＤＭのように隣接チャネルの波長間隔が狭くなるほど製造することが困難になる。さらに、信号光の波長選択フィルタに対する入射角が鈍角になるほど、製造することが困難になる。これにより、光モジュールの製造コストが増加するおそれがある。
【０００６】
上記問題点に鑑みて、本発明は、容易に製造することができる光通信モジュールを提供することを目的とする。
【課題を解決するための手段】
【０００７】
本発明の光通信モジュールは、光出射部と前記光出射部から出射される光を合波する光合波部とを備えた光通信モジュールであって、前記光出射部は、複数の光源部を有し、前記光出射部は、前記複数の光源部から出射される光から、第１の偏波面を有する第１の偏光と、第２の偏波面を有する第２の偏光とを生成し、前記光出射部は、前記第１の偏光を第１の光路に出射すると共に前記第２の偏光を第２の光路に出射し、前記光合波部は、第１の光反射板と偏波選択フィルタとを有し、前記第１の光反射板は、前記第１の光路と交差する位置に配置され、前記第１の光反射板は、前記第１の光路から入射する前記第１の偏光を第３の光路に反射し、前記偏波選択フィルタは、前記第２の光路と前記第３の光路とが互いに交差する位置に配置され、前記偏波選択フィルタは、前記第２の光路から入射する前記第２の偏光を第４の光路へ透過すると共に前記第３の光路から入射する前記第１の偏光を前記第４の光路へ反射し、前記第１の偏波面は、前記第２の偏波面に対して傾いている。
【０００８】
この光通信モジュールによれば、偏波選択フィルタに、互いに異なる偏波面を有する第１の偏光及び第２の偏光が入射される。偏波選択フィルタでは、第２の偏光が第４の光路へと透過される。また偏波選択フィルタでは、第１の偏光が第４の光路へと反射される。これにより、偏波選択フィルタにおいて、第１の偏光と第２の偏光とが合波される。このように、この光通信モジュールでは、第１の偏光と第２の偏光とを合波するために偏波選択フィルタを使うことで、高価な波長選択フィルタの数を減らし、かつ波長選択フィルタについて、隣接する波長を飛ばした設計が可能となる。これにより、波長選択フィルタの設計を緩めることが可能となる。従って、実装トレランスを向上させることが可能となると共に、製造コストを下げることができる。
【０００９】
また、光通信モジュールでは、前記光出射部は、第１の光源部と、第２の光源部と、第３の光源部と、第２の光反射板と、波長選択フィルタとを有し、前記第１の光源部は、第１の波長帯域の光を第５の光路に出射し、前記第２の光源部は、第２の波長帯域の光を第６の光路に出射し、前記第３の光源部は、第３の波長帯域の光を第７の光路に出射し、前記第２の光反射板は、前記第５の光路と交差する位置に配置され、前記第２の光反射板は、前記第５の光路から入射する前記第１の波長帯域の光を第８の光路へ反射し、前記波長選択フィルタは、前記第７の光路と前記第８の光路とが互いに交差する位置に配置され、前記波長選択フィルタは、前記第７の光路から入射する前記第３の波長帯域の光を前記第１の光路へ透過し、前記波長選択フィルタは、前記第８の光路から入射する前記第１の波長帯域の光を前記第１の光路へ反射し、前記第２の波長帯域は前記第１の波長帯域よりも大きく設定され、前記第３の波長帯域は前記第２の波長帯域よりも大きく設定され、波長帯域を含み、前記第１の波長帯域の光と前記第３の波長帯域の光とは、前記第１の偏波面及び前記第２の偏波面の一方を有し、前記第２の波長帯域の光は、前記第１の偏波面及び前記第２の偏波面の他方を有する。
【００１０】
この光通信モジュールによれば、出射部からは、互いに異なる波長を有する複数の光が合波された合波光を出射することができる。
【００１１】
また、光通信モジュールでは、前記光出射部は、前記第８の光路上に配置され、前記光出射部は、前記第２の光反射板が光学的に接続されている第１の端面と、前記波長選択フィルタが光学的に接続されている第２の端面とを有している。さらに、前記光合波部は、前記第３の光路上に配置され、前記光合波部は、前記第１の光反射板が光学的に接続されている第３の端面と、前記偏波選択フィルタが光学的に接続されている第４の端面とを有している。
【００１２】
このような構成によれば、第１の光学体に第２の反射板及び波長選択フィルタが接続された光学ユニットが、光通信モジュールのパッケージに実装される。また、第２の光学体に第１の反射板及び偏波選択フィルタが接続された光学ユニットが、パッケージに実装される。これにより、第１及び第２の反射板、波長選択フィルタ及び偏波選択フィルタをパッケージに対して、容易に実装することができる。従って、この光通信モジュールは、さらに容易に製造することができる。
【発明の効果】
【００１３】
本発明によれば、低コストで容易に製造することができる光通信モジュールを提供することができる。
【図面の簡単な説明】
【００１４】
【図１】第１実施形態の光通信モジュールの構成を説明するための図である。
【図２】波長選択フィルタ及び偏波選択フィルタの光学特性を説明するための図である。
【図３】第１実施形態の変形例である光通信モジュールの構成を説明するための図である。
【図４】波長選択フィルタ及び偏波選択フィルタの光学特性を説明するための図である。
【図５】第２実施形態の光通信モジュールの構成を説明するための図である。
【図６】サブアセンブリを説明するための図である。
【図７】第３実施形態の光通信モジュールの構成を説明するための図である。
【図８】第４実施形態の光通信モジュールの構成を説明するための図である。
【図９】波長選択フィルタ及び偏波選択フィルタの光学特性を説明するための図である。
【図１０】光通信モジュールの変形例である光通信モジュール１Ｆを説明するための図である。
【図１１】光通信モジュールの別の変形例である光通信モジュールの構成を説明するための図である。
【図１２】サブアセンブリを説明するための図である。
【図１３】第５実施形態の光通信モジュールの構成を説明するための図である。
【図１４】波長選択フィルタ及び偏波選択フィルタの光学特性を説明するための図である。
【図１５】第６実施形態の光通信モジュールの構成を説明するための図である。
【図１６】サブアセンブリを説明するための図である。
【図１７】第７実施形態の光通信モジュールの構成を説明するための図である。
【図１８】第１実施形態の変形例である光通信モジュールの構成を説明するための図である。
【図１９】波長選択フィルタ及び偏波選択フィルタの光学特性を説明するための図である。
【図２０】第１実施形態の別の変形例である光通信モジュールの構成を説明するための図である。
【図２１】波長選択フィルタ及び偏波選択フィルタの光学特性を説明するための図である。
【図２２】第３実施形態の変形例である光通信モジュールの構成を説明するための図である。
【図２３】波長選択フィルタ及び偏波選択フィルタの光学特性を説明するための図である。
【図２４】サブアセンブリを説明するための図である。
【発明を実施するための形態】
【００１５】
＜第１実施形態＞
以下、添付図面を参照しながら本発明を実施するための形態を詳細に説明する。図面の説明において同一の要素には同一の符号を付し、重複する説明を省略する。
【００１６】
図１は、第１実施形態の光通信モジュール１Ａの構成を説明するための図である。光通信モジュール１Ａは、パッケージ１０１及びスリーブ１０２を備えている。パッケージ１０１の端部１０３には、スリーブ１０２が配置されている。なお、通信モジュール１Ａは、波長分割多重通信に用いられる光通信モジュールである。
【００１７】
パッケージ１０１は、実装台１０４及び回路部１０６を備えている。パッケージ１０１は、実装台１０４及び回路部１０６が配置された内部領域を真空封止可能な構成を有している。
【００１８】
実装台１０４は、パッケージ１０１の端部１０３の側に配置されている。実装台１０４は、熱伝導性のよい材料からなる。例えば、実装台１０４には、銅タングステン（ＣｕＷ）からなる板材が用いられる。
【００１９】
光学部１０７は、実装台１０４の主面上に形成されている。光学部１０７は、光出射部１０８及び光合波部１０９を備えている。光出射部１０８は、実装台１０４上において、パッケージ１０１の端部１０３の反対側に形成されている。光合波部１０９は、実装台１０４上において、パッケージ１０１の端部１０３の側に形成されている。すなわち、光合波部１０９は、スリーブ１０２と光出射部１０８との間に形成されている。光出射部１０８と光合波部１０９との間には、光路Ｌ１及び光路Ｌ２が設定されている。光合波部１０９とスリーブ１０２との間には、光路Ｌ４が設定されている。
【００２０】
光出射部１０８は、合波光Ｗ１を光路Ｌ１に出射すると共に、合波光Ｗ２を光路Ｌ２に出射する。
【００２１】
光出射部１０８は、光源装置１２２，１２６，１２８，１３２、光学レンズ１２３，１２７，１２９，１３３、偏波回転部品１２４，１３１、光反射板１１２，１１３及び波長選択フィルタ１１４，１１６を備えている。
【００２２】
光源装置１２２は、光路Ｌ５へ信号光Ｓ１を出射する。光路Ｌ５上には、光学レンズ１２３及び偏波回転部品１２４が配置されている。光源装置１２２、光学レンズ１２３、及び偏波回転部品１２４は、一の光源部を構成する。
【００２３】
光源装置１２２は、光源として半導体レーザを備えている。第１実施形態では、光源装置１２２から出射される光は、例えばｓ偏光の光である。半導体レーザから出射される光は、ＬＡＮ−ＷＤＭ規格に準拠した波長を有している。光源装置１２２から出射される信号光Ｓ１は、ＬＡＮ−ＷＤＭ規格に準拠した波長帯域を有している。信号光Ｓ１は、例えば、中心波長が１２９５．５６ｎｍである波長帯域を有している。なお、図示しないが、光源装置１２２は、配線パターンが形成されたキャリア上に実装されている。このキャリアは、熱伝導性のよい材料により構成されている。
【００２４】
光学レンズ１２３は、光学レンズ１２３の光軸が光路Ｌ５と重なるように配置されている。光学レンズ１２３には、光源装置１２２から出射される信号光Ｓ１が入射される。光学レンズ１２３は、コリメートレンズである。光学レンズ１２３には、例えば球レンズ或いは非球面レンズである。
【００２５】
偏波回転部品１２４は、光路Ｌ５上に配置されている。偏波回転部品１２４には、光学レンズ１２３を通過した後の信号光Ｓ１が入射される。偏波回転部品１２４は、１／２波長板である。偏波回転部品１２４には、複屈折ポリマーをガラス板で挟んだもの、或いは、水晶板を張り合わせたものなどが用いられる。偏波回転部品１２４を通過した光は、偏波面が９０度回転される。即ち、ｓ偏光の光は、偏波回転部品１２４を通過することによって、ｐ偏光の光に転換される。
【００２６】
光源装置１２６は、光路Ｌ６へ信号光Ｓ２を出射する。信号光Ｓ２は、例えば、中心波長が１３００．０５ｎｍである波長帯域を有している。光路Ｌ６上には、光学レンズ１２７が配置されている。なお、光源装置１２６、及び光学レンズ１２７は、一の光源部を構成する。光源装置１２６は、光源装置１２２と同様の構成を有している。
【００２７】
光学レンズ１２７は、光学レンズ１２７の光軸が光路Ｌ６と重なるように配置されている。光学レンズ１２７には、光源装置１２６から出射される信号光Ｓ２が入射される。光学レンズ１２７は、光学レンズ１２３と同様の構成を有している。
【００２８】
光源装置１２８は、光路Ｌ７へ信号光Ｓ３を出射する。信号光Ｓ３は、例えば、中心波長が１３０４．５８ｎｍである波長帯域を有している。光路Ｌ７上には、光学レンズ１２９及び偏波回転部品１３１が配置されている。光源装置１２８、光学レンズ１２９、及び偏波回転部品１３１は、一の光源部を構成する。光源装置１２８は、光源装置１２２と同様の構成を有している。
【００２９】
光学レンズ１２９は、光学レンズ１２９の光軸が光路Ｌ７と重なるように配置されている。光学レンズ１２９には、光源装置１２８から出射される信号光Ｓ３が入射される。光学レンズ１２９は、光学レンズ１２３と同様の構成を有している。
【００３０】
偏波回転部品１３１は、光路Ｌ７上に配置されている。偏波回転部品１３１には、光学レンズ１２９を通過した後の信号光Ｓ３が入射される。偏波回転部品１３１は、偏波回転部品１２４と同様の構成を有している。偏波回転部品１３１を通過した光は、偏波面が９０度回転される。即ち、ｓ偏光の光は、偏波回転部品１３１を通過することによって、ｐ偏光の光に転換される。
【００３１】
光源装置１３２は、光路Ｌ９へ信号光Ｓ４を出射する。信号光Ｓ４は、例えば、中心波長が１３０９．１４ｎｍである波長帯域を有している。光路Ｌ９上には、光学レンズ１３３が配置されている。光源装置１３２、及び光学レンズ１３３は、一の光源部を構成する。光源装置１３２は、光源装置１２２と同様の構成を有している。
【００３２】
光学レンズ１３３は、光学レンズ１３３の光軸が光路Ｌ９と重なるように配置されている。光学レンズ１３３には、光源装置１３２から出射される信号光Ｓ４が入射される。光学レンズ１３３は、光学レンズ１２３と同様の構成を有している。
【００３３】
光路Ｌ５上には、光反射板１１２が配置されている。光反射板１１２は、光の進行方向を光路Ｌ５から光路Ｌ８へ転換する。光路Ｌ５と光路Ｌ８とは、互いに交差している。光反射板１１２は、光路Ｌ５が延びる方向に対して、光反射板１１２の光反射面が４５度傾くように配置されている。光反射板１１２には、例えば、金属ミラー、或いは、ガラスに設けられた誘電体多層膜ミラーなどが用いられる。
【００３４】
光路Ｌ７と光路Ｌ８とが互いに交差する位置には、波長選択フィルタ１１４が配置されている。波長選択フィルタ１１４は、光路Ｌ８を進行する光を反射して、光の進行方向を光路Ｌ８から光路Ｌ１へ転換する。波長選択フィルタ１１４は、光路Ｌ７を進行する光を透過して、光路Ｌ１へ導く。波長選択フィルタ１１４は、光路Ｌ８から光が入射される第１の入射面と光路Ｌ７から光が入射される第２の入射面とを有している。波長選択フィルタ１１４は、光路Ｌ８に対して、第１の入射面が４５度傾くように配置されている。波長選択フィルタ１１４は、光路Ｌ６に対して第２の入射面が４５度傾くように、配置されている。
【００３５】
波長選択フィルタ１１４の光学特性を説明する。波長選択フィルタ１１４は、信号光Ｓ３の透過率の高いハイパスフィルタである。図２の（ａ）部は、波長選択フィルタ１１４に入射された光の波長に対する透過率を示す。図２の（ａ）部に示された特性は、信号光Ｓ１〜Ｓ４の偏光がｐ偏光であり、波長選択フィルタ１１４への光の入射角度が４５度であるときの特性である。図２の（ａ）部に示す折れ線グラフは、波長選択フィルタ１１４の透過率の特性を示す。図２の（ａ）部に示す棒グラフは、各信号光Ｓ１〜Ｓ４の有効帯域を示す。棒グラフの間隔は、チャネル間のアイソレーションを示す。波長選択フィルタ１１４では、信号光Ｓ３，Ｓ４が減衰されることなく、透過される。一方、信号光Ｓ１は−１０ｄＢ以下に減衰される。即ち、信号光Ｓ１は、波長選択フィルタ１１４を透過することなく、波長選択フィルタ１１４により反射される。
【００３６】
このように、波長選択フィルタ１１４は、信号光Ｓ１の進行する方向と、信号光Ｓ３の進行する方向とを同じ方向に変換する。従って、光出射部１０８では、信号光Ｓ１及び信号光Ｓ３が重ねあわされた合波光Ｗ１が生成され、光路Ｌ１に出射される。合波光Ｗ１は、ｐ偏光である偏波面を有している。
【００３７】
光路Ｌ９上には、光反射板１１３が配置されている。光反射板１１３は、光の進行方向を光路Ｌ９から光路Ｌ１０へ転換する。光路Ｌ９と光路Ｌ１０とは、互いに交差している。光反射板１１３は、光路Ｌ９が延びる方向に対して、光反射板１１３の光反射面が４５度傾くように、配置されている。なお、光反射板１１３は、光反射板１１３と同様の構成を有している。
【００３８】
光路Ｌ６と光路Ｌ１０とが互いに交差する位置には、波長選択フィルタ１１６が配置されている。波長選択フィルタ１１６は、光路Ｌ１０を進行する光を反射して、光の進行方向を光路Ｌ１０から光路Ｌ２へ転換する。波長選択フィルタ１１６は、光路Ｌ６を進行する光を透過して、光路Ｌ２へ導く。波長選択フィルタ１１６は、光路Ｌ１０から光が入射される第１の入射面と光路Ｌ６から光が入射される第２の入射面とを有している。波長選択フィルタ１１６は、光路Ｌ１０に対して第１の入射面が４５度傾くように、配置されている。波長選択フィルタ１１６は、光路Ｌ６に対して第２の入射面が４５度傾くように、配置されている。
【００３９】
波長選択フィルタ１１６の光学特性を説明する。波長選択フィルタ１１６は、信号光Ｓ２の透過率の高いローパスフィルタである。図２の（ｂ）部は、波長選択フィルタ１１６に入射された光の波長に対する透過率を示す。図２の（ｂ）部に示された特性は、信号光Ｓ１〜Ｓ４の偏光がｓ偏光であり、波長選択フィルタ１１６への光の入射角度が４５度であるときの特性である。図２の（ｂ）部に示す折れ線グラフは、波長選択フィルタ１１６の透過率の特性を示す。図２の（ｂ）部に示す棒グラフは、各信号光Ｓ１〜Ｓ４の有効帯域を示す。棒グラフの間隔は、チャネル間のアイソレーションを示す。波長選択フィルタ１１６では、信号光Ｓ１，Ｓ２が減衰されることなく、透過される。一方、信号光Ｓ４は−１０ｄＢ以下に減衰される。即ち、信号光Ｓ４は、波長選択フィルタ１１６を透過することなく、波長選択フィルタ１１６により反射される。
【００４０】
このように、波長選択フィルタ１１６は、信号光Ｓ２の進行する方向と、信号光Ｓ４の進行する方向とを同じ方向に変換する。従って、光出射部１０８において、信号光Ｓ２及び信号光Ｓ４が重ねあわされた合波光Ｗ２が生成され、光路Ｌ２に出射される。
【００４１】
なお、光源装置１２６，１３２、光学レンズ１２７，１３３、光反射板１１３、及び波長選択フィルタ１１６は、一の光源部を構成する。この光源部からは、合波光Ｗ２が出射される。合波光Ｗ２は、第２の波長帯域の光である信号光Ｓ２を含んでいる。第２の波長帯域は、信号光Ｓ１の波長帯域と、信号光Ｓ３の波長帯域との間にある波長帯域である。また、合波光Ｗ２は、ｓ偏光である偏波面を有している。
【００４２】
光合波部１０９は、光路Ｌ１から入射された合波光Ｗ１と、光路Ｌ２から入射された合波光Ｗ２とを重ね合わせて、合波光Ｗ３を光路Ｌ４へ出射する。光合波部１０９は、光反射板１３４、及び、偏波選択フィルタ１３６を備えている。
【００４３】
光反射板１３４は、光路Ｌ１上に配置されている。光反射板１３４は、光の進行方向を光路Ｌ１から光路Ｌ３へ転換する。光路Ｌ１と光路Ｌ３とは、互いに交差している。光反射板１３４は、光路Ｌ１が延びる方向に対して、光反射板１３４の光反射面が４５度傾くように、配置されている。なお、光反射板１３４は、光反射板１１３と同様の構成を有している。
【００４４】
偏波選択フィルタ１３６は、光路Ｌ２と光路Ｌ３とが互いに交差する位置に配置されている。偏波選択フィルタ１３６は、光路Ｌ３を進行する光を反射して、光の進行方向を光路Ｌ３から光路Ｌ４へ転換する。光路Ｌ２を進行する光を透過して、光路Ｌ４へ導く。偏波選択フィルタ１３６は、光路Ｌ３から光が入射される第１の入射面と光路Ｌ１から光が入射される第２の入射面とを有する。偏波選択フィルタ１３６は、光路Ｌ３に対して第１の入射面が４５度傾くように、配置されている。偏波選択フィルタ１３６は、光路Ｌ２に対して第２の入射面が４５度傾くように、配置されている。
【００４５】
偏波選択フィルタ１３６の光学特性を説明する。偏波選択フィルタ１３６は、ｓ偏光の光を透過するフィルタである。図２の（ｃ）部は、偏波選択フィルタ１３６に入射される光の偏波角度に対する透過率を示す。図２の（ｃ）部に示された特性は、偏波選択フィルタ１３６への光の入射角度が４５度であるときの特性である。図２の（ｃ）部に示す直線グラフは、偏波選択フィルタ１３６の透過率の特性を示す。偏波選択フィルタ１３６では、ｓ偏光の偏光状態である合波光Ｗ２は減衰されること無く透過される。一方、ｐ偏光の偏光状態である合波光Ｗ１は−２０ｄＢ以下に減衰される。即ち、合波光Ｗ１は、偏波選択フィルタ１３６を透過することなく、偏波選択フィルタ１３６により反射される。このように、偏波選択フィルタ１３６は、合波光Ｗ１の進行する方向と、合波光Ｗ２の進行する方向とを同じ方向に変換する。従って、偏波選択フィルタ１３６からは、合波光Ｗ１に合波光Ｗ２が重ねあわされた合波光Ｗ３が出射される。
【００４６】
回路部１０６は、パッケージ１０１内に配置されている。また、回路部１０６は、パッケージ１０１内において、パッケージ１０１の端部１０３の反対側に、光学部１０７と隣接するように配置されている。回路部１０６は、光学部１０７に含まれた複数の光源装置１２２，１２６，１２８，１３２を駆動するための光源駆動回路である。
【００４７】
スリーブ１０２は、光路Ｌ４上に配置されている。本実施形態では、光路Ｌ４は、光路Ｌ６の延長線と重なっている。即ち、スリーブ１０２は、スリーブ１０２の中心軸が、光源装置１２６の光路Ｌ６の延長線に重なるように配置されている。
【００４８】
スリーブ１０２は、アイソレータ１３７、光学レンズ１３８を備えている。これらは光路Ｌ４が延びた方向に沿って、アイソレータ１３７、光学レンズ１３８の順に配置されている。アイソレータ１３７は、偏波面に依存しない偏波無依存アイソレータである。光学レンズ１３８は、光学レンズ１３８の光軸が光路Ｌ４に重なるように配置されている。
【００４９】
スリーブ１０２のパッケージ１０１に接続された端部の反対側にある端部には、光ファイバ１３９が挿入されている。光ファイバ１３９は、フェルール１４１を介してスリーブ１０２に固定されている。光ファイバ１３９は、光ファイバ１３９の光軸が光路Ｌ４に重なるように設定されている。
【００５０】
次に、光通信モジュール１Ａの動作について説明する。まず、光源装置１２２，１２６，１２８，１３２から信号光Ｓ１〜Ｓ４を出射する。光源装置１２２からは、信号光Ｓ１が出射される。信号光Ｓ１は、波長が１２９５．５６ｎｍであり、偏光状態がｓ偏光である。光源装置１２６からは、信号光Ｓ２が出射される。信号光Ｓ２は、波長が１３００．０５ｎｍであり、偏光状態がｓ偏光である。光源装置１２８からは、信号光Ｓ３が出射される。信号光Ｓ３は、波長が１３０４．５８ｎｍであり、偏光状態がｓ偏光である。光源装置１３２からは、信号光Ｓ４が出射される。信号光Ｓ４は、波長が１３０９．１４ｎｍであり、偏光状態がｓ偏光である。
【００５１】
次に、それぞれの信号光Ｓ１〜Ｓ４は、光学レンズ１２３，１２７，１２９，１３３に入射される。光学レンズ１２３，１２７，１２９，１３３に入射された信号光Ｓ１〜Ｓ４は、平行光に変換される。
【００５２】
続いて、信号光Ｓ１が偏波回転部品１２４に入射され、信号光Ｓ３が偏波回転部品１３１に入射される。信号光Ｓ１及び信号光Ｓ３は、偏波面の角度が９０度回転される。即ち、偏波回転部品１２４，１３１を通過することにより、信号光Ｓ１及び信号光Ｓ３の偏光状態は、ｓ偏光からｐ偏光に変換される。なお、信号光Ｓ２，Ｓ４は、偏波回転部品を通過しないため、ｓ偏光の状態が維持される。
【００５３】
続いて、信号光Ｓ１は光反射板１１２に入射される。光反射板１１２に入射された信号光Ｓ１は、進行方向が９０度転換される。そして、信号光Ｓ１は波長選択フィルタ１１４に入射される。波長選択フィルタ１１４に入射された信号光Ｓ１は光路Ｌ１の方向に反射される。一方、信号光Ｓ３は、波長選択フィルタ１１４を透過し、光路Ｌ１の方向に出射される。これより、信号光Ｓ１と信号光Ｓ３とが合波された合波光Ｗ１を得る。
【００５４】
一方、信号光Ｓ４は光反射板１１３に入射される。光反射板１１３に入射された信号光Ｓ４は、進行方向が９０度転換される。そして、信号光Ｓ４は波長選択フィルタ１１６に入射される。波長選択フィルタ１１６に入射された信号光Ｓ４は光路Ｌ２の方向に反射される。一方、信号光Ｓ２は、波長選択フィルタ１１６を透過し、光路Ｌ２に出射される。これより、信号光Ｓ２と信号光Ｓ４とが合波された合波光Ｗ２を得る。
【００５５】
合波光Ｗ１は、光路Ｌ１を介して光合波部１０９に入射される。合波光Ｗ２は、光路Ｌ２を介して光合波部１０９に入射される。合波光Ｗ１は、光反射板１３４に入射される。光反射板１３４に入射された合波光Ｗ１は、進行方向が９０度転換される。そして、合波光Ｗ１は偏波選択フィルタ１３６に入射される。偏波選択フィルタ１３６に入射された合波光Ｗ１は光路Ｌ４の方向に反射される。一方、合波光Ｗ２は、偏波選択フィルタ１３６を透過し、光路Ｌ４に出射される。これより、合波光Ｗ１と合波光Ｗ２とが合波された合波光Ｗ３が得られる。
【００５６】
以上の工程により、信号光Ｓ１〜Ｓ４が合波された合波光Ｗ３が得られる。この合波光Ｗ３は、アイソレータ１３７を通過した後に、光学レンズ１３８により光ファイバ１３９に光学的に結合される。そして、合波光Ｗ３は、光ファイバ１３９を介して外部に出射される。
【００５７】
第１実施形態の光通信モジュール１Ａの効果について説明する。信号光の合波に用いられる波長選択フィルタは、隣接する信号光との透過特性を確保するために、急峻な特性をもつバンドパスフィルタ或いはエッジフィルタを備える必要があり、高度な作製技術を要し、コストが増加するおそれがある。また、波長選択フィルタは、光の入射角度により光学特性が変化するため、精度良く実装する必要がある。このため、従来では、光モジュールを容易に製造できないおそれがある。
【００５８】
これに対して、光通信モジュール１Ａは、信号光Ｓ１〜Ｓ４を合波するために偏波選択フィルタ１３６を用いている。従って、光通信モジュール１Ａは、高価な波長選択フィルタ１１４，１１６の数を減らし、かつ波長選択フィルタ１１４，１１６について、隣接する波長を飛ばした設計が可能となる。これにより、波長選択フィルタ１１４，１１６の設計を緩めることが可能となる。従って、実装トレランスを向上させることが可能となると共に、製造コストを下げることができる。
【００５９】
また、従来では、光通信モジュールである送信モジュールと受信モジュールとを並置して光トランシーバへ搭載することがある。このとき、光コネクタの送信用と受信用との２本の光ファイバにおける間隔は、互換性確保のため標準化された寸法に規定されている。さらに、従来では、光トランシーバは、筐体へ高密度に実装できるように小型化が求められている。このために、光通信モジュールのパッケージ中心に対してスリーブ中心がオフセットしているときには、光トランシーバへ収納する場合におけるスペース効率を向上させることができない場合がある。光トランシーバを規格で定められた左右対称の外形にするためには光トランシーバの外形を拡大する方向に光トランシーバを設定する必要がある。そのため、この拡大された領域により、光トランシーバの小型化が阻害されるおそれがある。
【００６０】
一方、光通信モジュール１Ａによれば、パッケージ１０１の中心と、スリーブ１０２の中心とのオフセット量を抑制することができる。従って、光トランシーバへの実装が容易になる。
【００６１】
なお、上述した光通信モジュール１Ａでは、光路Ｌ５上に偏波回転部品１２４が配置され、光路Ｌ７上に偏波回転部品１３１が配置されている。しかし、偏波回転部品１２４，１３１が配置される位置はこれに限定されない。図３は、第１実施形態の光通信モジュール１Ａの変形例である光通信モジュール１Ｂの構成を説明するための図である。図３に示されるように、例えば、光通信モジュール１Ｂは、光路Ｌ６上に偏波回転部品１２４が配置され、光路Ｌ９上に偏波回転部品１３１が配置されてもよい。その他の構成は、光通信モジュール１Ａと同様である。
【００６２】
このような構成によれば、合波光Ｗ１はｓ偏光の光となり、合波光Ｗ２はｐ偏光の光となる。このため、偏波選択フィルタ１３６には、図４の（ｃ）部に示されるように、ｐ偏光の光を透過すると共にｓ偏光の光を反射する光学特性を有するフィルタが用いられる。
【００６３】
＜第２実施形態＞
次に、第２実施形態の光通信モジュール１Ｃについて説明する。図５は、第２実施形態の光通信モジュール１Ｃの構成を説明するための図である。図６は、光通信モジュール１Ｃのサブアセンブリを説明するための図である。光通信モジュール１Ｃは、サブアセンブリ１４２，１４３，１４４を備えている。光通信モジュール１Ｃのその他の構成要素は、光通信モジュール１Ａと同様である。以下、サブアセンブリ１４２，１４３，１４４について詳細に説明する。
【００６４】
光出射部１０８はサブアセンブリ１４２，１４３を備えている。図６の（ａ）部を参照すると、サブアセンブリ１４２は、張り合わせブロック１４６、光反射板１１３、及び波長選択フィルタ１１６を備えている。張り合わせブロック１４６は、光路Ｌ１０上に配置されている。張り合わせブロック１４６は、光学的に透明なガラス部材からなる。張り合わせブロック１４６は、側面１４７，１４８，１４９，１５１及び端面１５２，１５３を有している。側面１４７、１４８は、長方形の形状を有している。側面１４９、１５１は、平行四辺形の形状を有している。
【００６５】
側面１４７は、光路Ｌ９と直交するように形成されている。側面１４７からは、光源装置１３２から出射された信号光Ｓ４が入射される。即ち、側面１４７に対する信号光Ｓ４の入射角は０度である。なお、側面１４７には、信号光Ｓ３，Ｓ４の波長に対応するアンチリフレクションコーティング（ＡＲコーティング）が施されている。
【００６６】
端面１５２は、端面１５２に対する信号光Ｓ４の入射角が４５度となるように形成されている。端面１５２には、光反射板１１３が光学的に接続されている。このため、光反射板１１３に対する信号光Ｓ４の入射角は４５度である。
【００６７】
端面１５２の反対側の端面１５３は、光路Ｌ６と光路Ｌ１０とが交差する位置に形成されている。端面１５３は、端面１５３に対する信号光Ｓ２の入射角が４５度となるように形成されている。端面１５３には、波長選択フィルタ１１６が光学的に接続されている。このため、波長選択フィルタ１１６に対する信号光Ｓ２の入射角は４５度である。さらに、端面１５３は、端面１５３に対する光路Ｌ１０に沿って入射される信号光Ｓ４の入射角が４５度となるように形成されている。このため、波長選択フィルタ１１４に対する信号光Ｓ４の入射角は４５度である。
【００６８】
側面１４８は、光路Ｌ２と直交するように形成されている。側面１４８からは、合波光Ｗ２が出射される。
【００６９】
このように、光通信モジュール１Ａは、張り合わせブロック１４６に光反射板１１３及び波長選択フィルタ１１６が固定されたサブアセンブリ１４２を備えている。なお、第２実施形態の張り合わせブロック１４６は、光路Ｌ７と交差するように配置されている。このため、側面１４７から信号光Ｓ３が入射され、側面１５１から信号光Ｓ３が出射される。
【００７０】
図６の（ｂ）部を参照すると、サブアセンブリ１４３は、張り合わせブロック１５４、光反射板１１２、及び波長選択フィルタ１１４を備えている。張り合わせブロック１５４は、光路Ｌ８上に配置されている。張り合わせブロック１５４は、光学的に透明なガラス部材からなる。張り合わせブロック１５４は、側面１５６，１５７，１５８，１５９、及び端面１６１，１６２を有している。側面１５６，１５７は、長方形の形状を有している。側面１５８，１５９は、平行四辺形の形状を有している。
【００７１】
側面１５６は、光路Ｌ５と直交するように形成されている。側面１５６からは、光源装置１２２から出射された信号光Ｓ１が入射される。即ち、側面１５６に対する信号光Ｓ１の入射角は０度である。なお、側面１５６には、信号光Ｓ１、合波光Ｗ２の波長に対応するＡＲコーティングが施されている。
【００７２】
端面１６１は、端面１６１に対する信号光Ｓ１の入射角が４５度となるように形成されている。端面１６１には、光反射板１１２が光学的に接続されている。このため、光反射板１１２に対する信号光Ｓ１の入射角は４５度である。
【００７３】
端面１６１の反対側の端面１６２は、光路Ｌ７と光路Ｌ８とが交差する位置に形成されている。端面１６２は、端面１６２に対する信号光Ｓ３の入射角が４５度となるように形成されている。端面１６２には、波長選択フィルタ１１６が光学的に接続されている。このため、波長選択フィルタ１１６に対する信号光Ｓ３の入射角は４５度である。さらに、端面１６２は、端面１６２に対する光路Ｌ８に沿って入射される信号光Ｓ１の入射角が４５度となるように形成されている。このため、波長選択フィルタ１１４に対する信号光Ｓ１の入射角は４５度である。
【００７４】
側面１５７は、光路Ｌ１と直交するように形成されている。側面１５７からは、合波光Ｗ１が出射される。
【００７５】
なお、第２実施形態の張り合わせブロック１５４は、光路Ｌ２と交差するように配置されている。このため、側面１５６から合波光Ｗ２が入射され、側面１５７から合波光Ｗ２が出射される。
【００７６】
光出射部１０８は、サブアセンブリ１４４を備えている。図６の（ｃ）部を参照すると、サブアセンブリ１４４は、張り合わせブロック１６３、光反射板１３４、及び偏波選択フィルタ１３６を備えている。
【００７７】
張り合わせブロック１６３は、光路Ｌ３上に配置されている。張り合わせブロック１６３は、光学的に透明なガラス部材からなる。張り合わせブロック１６３は、側面１６４，１６６，１６７，１６８、及び端面１６９，１７１を有している。側面１６４，１６６は、長方形の形状を有している。側面１６７，１６８は、平行四辺形の形状を有している。
【００７８】
側面１６４は、光路Ｌ１と直交するように形成されている。側面１６４からは、光出射部１０８から出射された合波光Ｗ１が入射される。即ち、側面１６４に対する合波光Ｗ１の入射角は０度である。なお、側面１６４には、合波光Ｗ１の波長に対応するＡＲコーティングが施されている。
【００７９】
端面１６９は、端面１６９に対する合波光Ｗ１の入射角が４５度となるように形成されている。端面１６９には、光反射板１３４が光学的に接続されている。このため、光反射板１３４に対する合波光Ｗ１の入射角は４５度である。
【００８０】
端面１６９の反対側の端面１７１は、光路Ｌ２と光路Ｌ３とが交差する位置に形成されている。端面１７１は、端面１７１に対する合波光Ｗ２の入射角が４５度となるように形成されている。端面１７１には、偏波選択フィルタ１３６が光学的に接続されている。このため、偏波選択フィルタ１３６に対する合波光Ｗ２の入射角は４５度である。さらに、端面１７１は、光路Ｌ３に沿って入射される合波光Ｗ１の端面１７１に対する入射角が４５度となるように形成されている。このため、偏波選択フィルタ１３６に対する合波光Ｗ１の入射角は４５度である。
【００８１】
側面１６６は、光路Ｌ４と直交するように形成されている。側面１６６からは、合波光Ｗ３が出射される。
【００８２】
光通信モジュール１Ｃは、信号光Ｓ１〜Ｓ４を合波するために偏波選択フィルタ１３６を用いている。従って、光通信モジュール１Ｃは、高価な波長選択フィルタ１１４，１１６の数を減らし、かつ波長選択フィルタ１１４，１１６について、隣接する波長を飛ばした設計が可能となる。これにより、波長選択フィルタ１１４，１１６の設計を緩めることが可能となる。従って、実装トレランスを向上させることが可能となると共に、製造コストを下げることができる。
【００８３】
更に、光通信モジュール１Ｃは、サブアセンブリ１４２，１４３，１４４を備えている。サブアセンブリ１４２，１４３，１４４は実装台１０４の上に配置される。これにより、光反射板１１２，１１３、波長選択フィルタ１１４，１１６及び偏波選択フィルタ１３６を、パッケージ１０１に対して、容易に実装することができる。従って、光通信モジュール１Ｂは、さらに容易に製造可能である。
【００８４】
＜第３実施形態＞
次に、第３実施形態の光通信モジュール１Ｄについて、図７を用いて説明する。図７は、第３実施形態の光通信モジュール１Ｄの構成を説明するための図である。第３実施形態の光通信モジュール１Ｄでは、スリーブ１０２の配置された位置が光通信モジュール１Ａと相違する。また、スリーブ１０２の位置の変更に伴い、光合波部１０９の内部構成が光通信モジュール１Ａと相違する。
【００８５】
光通信モジュール１Ｄの光出射部１０８は、光通信モジュール１Ａの光出射部１０８と同様の構成を有している。このため、詳細な説明は省略する。
【００８６】
光通信モジュール１Ｄの光合波部１０９は、光路Ｌ１から合波光Ｗ２が入射される。光合波部１０９に光路Ｌ２から合波光Ｗ１が入射される。光合波部１０９は、光反射板１３４、及び、偏波選択フィルタ１３６を備えている。なお、偏波選択フィルタ１３６は、ｐ偏光の光を透過させる光学特性を有する（図４の（ｃ）部を参照）。
【００８７】
光通信モジュール１Ｄの光合波部１０９における動作を説明する。光路Ｌ１から入射された合波光Ｗ２は、光反射板１３４に入射される。光反射板１３４に入射された合波光Ｗ２は、進行方向が９０度転換される。そして、合波光Ｗ２は偏波選択フィルタ１３６に入射される。偏波選択フィルタ１３６に入射された合波光Ｗ２は光路Ｌ４の方向に反射される。一方、光路Ｌ２から入射された合波光Ｗ１は、偏波選択フィルタ１３６を透過し、光路Ｌ４に出射される。これより、合波光Ｗ１と合波光Ｗ２とが合波された合波光Ｗ３が得られる。
【００８８】
光通信モジュール１Ｄは、信号光Ｓ１〜Ｓ４を合波するために偏波選択フィルタ１３６を用いている。従って、光通信モジュール１Ｄは、高価な波長選択フィルタ１１４，１１６の数を減らし、かつ波長選択フィルタ１１４，１１６について、隣接する波長を飛ばした設計が可能となる。これにより、波長選択フィルタ１１４，１１６の設計を緩めることが可能となる。従って、実装トレランスを向上させることが可能となると共に、製造コストを下げることができる。
【００８９】
更に、光通信モジュール１Ｄによれば、パッケージ１０１の端部１０３におけるスリーブ１０２の位置を変更することができる。
【００９０】
＜第４実施形態＞
次に、第４実施形態の光通信モジュール１Ｅについて、図８，９を用いて説明する。図８は、第４実施形態の光通信モジュール１Ｅの構成を説明するための図である。図９は、光通信モジュール１Ｅにおける波長選択フィルタ及び偏波選択フィルタの光学特性を説明するための図である。光通信モジュール１Ｅでは、光路Ｌ５の延長線上にスリーブ１０２が配置されている。なお、光通信モジュール１Ｅにおいて、パッケージ１０１、スリーブ１０２、実装台１０４、及び回路部１０６は、第１実施形態の光通信モジュール１Ａと同様の構成であるため、詳細な説明は省略する。以下、光出射部１０８、及び光合波部１０９について詳細に説明する。
【００９１】
光出射部１０８は、合波光Ｗ１を光路Ｌ２に出射すると共に、合波光Ｗ２を光路Ｌ１に出射する。光出射部１０８は、光源装置１２２，１２６，１２８，１３２、光学レンズ１２３，１２７，１２９，１３３、偏波回転部品１２４，１３１、光反射板１１２，１１３及び波長選択フィルタ１１４，１１６を備えている。
【００９２】
光源装置１２２は、光路Ｌ５へ信号光Ｓ１を出射する。信号光Ｓ１は、例えば、中心波長が１２９５．５６ｎｍである波長帯域を有している。光路Ｌ５上には、光学レンズ１２３及び偏波回転部品１２４が配置されている。光源装置１２２、光学レンズ１２３、偏波回転部品１２４は、一の光源部を構成する。光源装置１２６は、光路Ｌ６へ信号光Ｓ２を出射する。信号光Ｓ２は、例えば、中心波長が１３００．０５ｎｍである波長帯域を有している。光路Ｌ６上には、光学レンズ１２７が配置されている。なお、光源装置１２６、及び光学レンズ１２７は、一の光源部を構成する。光源装置１２８は、光路Ｌ７へ信号光Ｓ３を出射する。信号光Ｓ３は、例えば、中心波長が１３０４．５８ｎｍである波長帯域を有している。光路Ｌ７上には、光学レンズ１２９及び偏波回転部品１３１が配置されている。光源装置１２８、光学レンズ１２９、偏波回転部品１３１は、一の光源部を構成する。光源装置１３２は、光路Ｌ９へ信号光Ｓ４を出射する。信号光Ｓ４は、例えば、中心波長が１３０９．１４ｎｍである波長帯域を有している。光路Ｌ９上には、光学レンズ１３３が配置されている。光源装置１３２、光学レンズ１３３は、一の光源部を構成する。
【００９３】
光路Ｌ７上には、光反射板１１２が配置されている。光反射板１１２は、光路Ｌ７から入射された信号光Ｓ３を光路Ｌ８の方向へ反射する。光路Ｌ５と光路Ｌ８とが互いに交差する位置には、波長選択フィルタ１１４が配置されている。波長選択フィルタ１１４は、図９の（ａ）部に示されるように、信号光Ｓ１の透過率の高いローパスフィルタである。波長選択フィルタ１１４は、光路Ｌ８から入射された信号光Ｓ３を光路Ｌ２の方向へ反射する。波長選択フィルタ１１４は、光路Ｌ５から入射された信号光Ｓ１を光路Ｌ２の方向へ透過する。
【００９４】
光路Ｌ９上には、光反射板１１３が配置されている。光反射板１１３は、光路Ｌ９から入射された信号光Ｓ４を光路Ｌ１０の方向へ反射する。光路Ｌ６と光路Ｌ１０とが互いに交差する位置には、波長選択フィルタ１１６が配置されている。波長選択フィルタ１１６は、図９の（ｂ）部に示されるように、信号光Ｓ２の透過率の高いローパスフィルタである。波長選択フィルタ１１６は、光路Ｌ１０から入射された信号光Ｓ４を光路Ｌ１の方向へ反射する。波長選択フィルタ１１６は、光路Ｌ６から入射された信号光Ｓ２を光路Ｌ１の方向へ透過する。
【００９５】
光合波部１０９は、光路Ｌ１から入射された合波光Ｗ２と、光路Ｌ２から入射された合波光Ｗ１とを重ね合わせて、合波光Ｗ３を生成し、光路Ｌ４へ出射する。光合波部１０９は、光反射板１３４、及び、偏波選択フィルタ１３６を備えている。
【００９６】
光路Ｌ１上には、光反射板１３４が配置されている。光反射板１３４は、光路Ｌ１から入射された合波光Ｗ２を光路Ｌ３の方向へ反射する。光路Ｌ２と光路Ｌ３とが互いに交差する位置には、偏波選択フィルタ１３６が配置されている。偏波選択フィルタ１３６は、図９の（ｃ）部に示されるように、ｓ偏光の光を透過するフィルタである。偏波選択フィルタ１３６は、光路Ｌ３から入射された合波光Ｗ２を光路Ｌ４の方向へ反射する。偏波選択フィルタ１３６は、光路Ｌ２から入射された合波光Ｗ１を光路Ｌ４の方向へ透過する。
【００９７】
光通信モジュール１Ｅは、信号光Ｓ１〜Ｓ４を合波するために偏波選択フィルタ１３６を用いている。従って、光通信モジュール１Ｅは、高価な波長選択フィルタ１１４，１１６の数を減らし、かつ波長選択フィルタ１１４，１１６について、隣接する波長を飛ばした設計が可能となる。これにより、波長選択フィルタ１１４，１１６の設計を緩めることが可能となる。従って、実装トレランスを向上させることが可能となると共に、製造コストを下げることができる。
【００９８】
更に、光通信モジュール１Ｅによれば、光路Ｌ５の延長線上にスリーブ１０２を配置することができる。
【００９９】
なお、上述した光通信モジュール１Ｅでは、光路Ｌ５上に偏波回転部品１２４が配置され、光路Ｌ７上に偏波回転部品１３１が配置されている。しかし、偏波回転部品１２４，１３１が配置される位置はこれに限定されない。図１０は、光通信モジュール１Ｅの変形例である光通信モジュール１Ｆを説明するための図である。図１０に示されるように、例えば、光通信モジュール１Ｆは、光路Ｌ６上に偏波回転部品１２４が配置され、光路Ｌ９上に偏波回転部品１３１が配置されてもよい。
【０１００】
光通信モジュール１Ｆでは、合波光Ｗ１がｓ偏光の光となり、合波光Ｗ２がｐ偏光の光となる。このため、偏波選択フィルタ１３６は、図４の（ｃ）部に示されるように、ｓ偏光の光を透過すると共にｐ偏光の光を反射する光学特性を有するフィルタである。
【０１０１】
光通信モジュール１Ｆは、信号光Ｓ１〜Ｓ４を合波するために偏波選択フィルタ１３６を用いている。従って、光通信モジュール１Ｆは、高価な波長選択フィルタ１１４，１１６の数を減らし、かつ波長選択フィルタ１１４，１１６について、隣接する波長を飛ばした設計が可能となる。これにより、波長選択フィルタ１１４，１１６の設計を緩めることが可能となる。従って、実装トレランスを向上させることが可能となると共に、製造コストを下げることができる。
【０１０２】
その上、光通信モジュール１Ｆによれば、偏波回転部品１２４，１３１が配置される位置の自由度を高めることができる。
【０１０３】
さらに、光通信モジュール１Ｅの別の変形例を図１１，１２を用いて説明する。図１１は、光通信モジュール１Ｅの別の変形例である光通信モジュール１Ｇの構成を説明するための図である。図１２は、サブアセンブリを説明するための図である。光通信モジュール１Ｇは、サブアセンブリ１４２，１４４，１７２を備えていてもよい。サブアセンブリ１４２は図６の（ａ）部に示されたサブアセンブリと同様であり、サブアセンブリ１４４は図６の（ｃ）部に示されたサブアセンブリと同様である。以下、サブアセンブリ１７２について詳細に説明する。
【０１０４】
図１２を参照すると、サブアセンブリ１７２は、張り合わせブロック１７３、光反射板１１２、及び波長選択フィルタ１１４を備えている。張り合わせブロック１７３は、光路Ｌ８上に配置されている。張り合わせブロック１７３は、光学的に透明なガラス部材からなる。張り合わせブロック１７３は、側面１７４，１７６，１７７，１７８及び端面１７９、１８１を有している。側面１７４，１７６は、長方形の形状を有している。側面１７７、１７８は、平行四辺形の形状を有している。
【０１０５】
側面１７４は、光路Ｌ７と直交するように形成されている。側面１７４からは、光源装置１２８から出射された信号光Ｓ３が入射される。即ち、側面１７４に対する信号光Ｓ３の入射角は０度である。なお、側面１７４には、信号光Ｓ３、合波光Ｗ２の波長に対応するアンチリフレクションコーティング（ＡＲコーティング）が施されている。
【０１０６】
端面１７９は、端面１７９に対する信号光Ｓ３の入射角が４５度となるように形成されている。端面１７９には、光反射板１１２が光学的に接続されている。このため、光反射板１１２に対する信号光Ｓ３の入射角は４５度である。
【０１０７】
端面１７９の反対側の端面１８１は、光路Ｌ５と光路Ｌ８とが交差する位置に形成されている。端面１８１は、端面１８１に対する信号光Ｓ１の入射角が４５度となるように形成されている。端面１８１には、波長選択フィルタ１１４が光学的に接続されている。このため、波長選択フィルタ１１４に対する信号光Ｓ１の入射角は４５度である。さらに、端面１８１は、光路Ｌ８に沿って入射される信号光Ｓ３の端面１８１に対する入射角が４５度となるように形成されている。このため、波長選択フィルタ１１４に対する信号光Ｓ３の入射角は４５度である。
【０１０８】
側面１７６は、光路Ｌ２と直交するように形成されている。この側面１７６からは、合波光Ｗ１が出射される。
【０１０９】
このように、光通信モジュール１Ｇは、サブアセンブリ１７２を備えている。張り合わせブロック１７３は、光路Ｌ１と交差するように配置されている。このため、側面１７４から合波光Ｗ２が入射され、側面１７６から合波光Ｗ１が出射される。
【０１１０】
光通信モジュール１Ｇは、信号光Ｓ１〜Ｓ４を合波するために偏波選択フィルタ１３６を用いている。従って、光通信モジュール１Ｇは、高価な波長選択フィルタ１１４，１１６の数を減らし、かつ波長選択フィルタ１１４，１１６について、隣接する波長を飛ばした設計が可能となる。これにより、波長選択フィルタ１１４，１１６の設計を緩めることが可能となる。従って、実装トレランスを向上させることが可能となると共に、製造コストを下げることができる。
【０１１１】
更に、光通信モジュール１Ｇは、サブアセンブリ１４２，１４４，１７２を備えている。サブアセンブリ１４２，１４４，１７２は実装台１０４の上に配置される。これにより、光反射板１１２，１１３、波長選択フィルタ１１４，１１６及び偏波選択フィルタ１３６を、パッケージ１０１に対して、容易に実装することができる。従って、この光通信モジュール１Ｇは、さらに容易に製造可能である。
【０１１２】
＜第５実施形態＞
次に、第５実施形態の光通信モジュール１Ｈについて、図１３，１４を用いて説明する。図１３は、第５実施形態の光通信モジュール１Ｈの構成を説明するための図である。図１４は、光通信モジュール１Ｈにおける波長選択フィルタ及び偏波選択フィルタの光学特性を説明するための図である。光通信モジュール１Ｈでは、光路Ｌ９の延長線上にスリーブ１０２が配置されている。なお、光通信モジュール１Ｈにおいて、パッケージ１０１、スリーブ１０２、実装台１０４、及び回路部１０６は、第１実施形態の光通信モジュール１Ａと同様の構成であるため、詳細な説明は省略する。以下、光出射部１０８、及び光合波部１０９について詳細に説明する。
【０１１３】
光出射部１０８は、合波光Ｗ１を光路Ｌ１に出射すると共に、合波光Ｗ２を光路Ｌ２に出射する。光出射部１０８は、光源装置１２２，１２６，１２８，１３２、光学レンズ１２３，１２７，１２９，１３３、偏波回転部品１２４，１３１、光反射板１１２，１１３及び波長選択フィルタ１１４，１１６を備えている。
【０１１４】
光源装置１２２は、光路Ｌ５へ信号光Ｓ１を出射する。信号光Ｓ１は、例えば、中心波長が１２９５．５６ｎｍである波長帯域を有している。光路Ｌ５上には、光学レンズ１２３及び偏波回転部品１２４が配置されている。光源装置１２２、光学レンズ１２３、偏波回転部品１２４は、一の光源部を構成する。光源装置１２６は、光路Ｌ６へ信号光Ｓ２を出射する。信号光Ｓ２は、例えば、中心波長が１３００．０５ｎｍである波長帯域を有している。光路Ｌ６上には、光学レンズ１２７が配置されている。なお、光源装置１２６、及び光学レンズ１２７は、一の光源部を構成する。光源装置１２８は、光路Ｌ７へ信号光Ｓ３を出射する。信号光Ｓ３は、例えば、中心波長が１３０４．５８ｎｍである波長帯域を有している。光路Ｌ７上には、光学レンズ１２９及び偏波回転部品１３１が配置されている。光源装置１２８、光学レンズ１２９、偏波回転部品１３１は、一の光源部を構成する。光源装置１３２は、光路Ｌ９へ信号光Ｓ４を出射する。信号光Ｓ４は、例えば、中心波長が１３０９．１４ｎｍである波長帯域を有している。光路Ｌ９上には、光学レンズ１３３が配置されている。光源装置１３２、光学レンズ１３３は、一の光源部を構成する。
【０１１５】
光路Ｌ５上には、光反射板１１２が配置されている。光反射板１１２は、光路Ｌ５から入射された信号光Ｓ１を光路Ｌ８の方向へ反射する。光路Ｌ７と光路Ｌ８とが互いに交差する位置には、波長選択フィルタ１１４が配置されている。波長選択フィルタ１１４は、図１４の（ａ）部に示されるように、信号光Ｓ３の透過率の高いハイパスフィルタである。波長選択フィルタ１１４は、光路Ｌ８から入射された信号光Ｓ１を光路Ｌ１の方向へ反射する。また、波長選択フィルタ１１４は、光路Ｌ７から入射された信号光Ｓ３を光路Ｌ１の方向へ透過する。
【０１１６】
光路Ｌ６上には、光反射板１１３が配置されている。光反射板１１３は、光路Ｌ６から入射された信号光Ｓ２を光路Ｌ１０の方向へ反射する。光路Ｌ９と光路Ｌ１０とが互いに交差する位置には、波長選択フィルタ１１６が配置されている。波長選択フィルタ１１６は、図１４の（ｂ）部に示されるように、信号光Ｓ４の透過率の高いハイパスフィルタである。波長選択フィルタ１１６は、光路Ｌ１０から入射された信号光Ｓ２を光路Ｌ２の方向へ反射する。また、波長選択フィルタ１１６は、光路Ｌ９から入射された信号光Ｓ４を光路Ｌ２の方向へ透過する。
【０１１７】
光合波部１０９は、光路Ｌ１から入射された合波光Ｗ１と、光路Ｌ２から入射された合波光Ｗ２とを重ね合わせて、合波光Ｗ３を生成し、光路Ｌ４へ出射する。光合波部１０９は、光反射板１３４、及び、偏波選択フィルタ１３６を備えている。
【０１１８】
光路Ｌ１上には、光反射板１３４が配置されている。光反射板１３４は、光路Ｌ１から入射された合波光Ｗ１を光路Ｌ３の方向へ反射する。光路Ｌ２と光路Ｌ３とが互いに交差する位置には、偏波選択フィルタ１３６が配置されている。偏波選択フィルタ１３６は、図１４の（ｃ）部に示されるように、ｓ偏光の光を透過するフィルタである。偏波選択フィルタ１３６は、光路Ｌ３から入射された合波光Ｗ１を光路Ｌ４の方向へ反射する。また、偏波選択フィルタ１３６は、光路Ｌ２から入射された合波光Ｗ２を光路Ｌ４の方向へ透過する。
【０１１９】
光通信モジュール１Ｈは、信号光Ｓ１〜Ｓ４を合波するために偏波選択フィルタ１３６を用いている。従って、光通信モジュール１Ｈは、高価な波長選択フィルタ１１４，１１６の数を減らし、かつ波長選択フィルタ１１４，１１６について、隣接する波長を飛ばした設計が可能となる。これにより、波長選択フィルタ１１４，１１６の設計を緩めることが可能となる。従って、実装トレランスを向上させることが可能となると共に、製造コストを下げることができる。
【０１２０】
更に、光通信モジュール１Ｈでは、光路Ｌ９の延長線上にスリーブ１０２を配置できる。
【０１２１】
＜第６実施形態＞
次に、第６実施形態の光通信モジュール１Ｋについて、図１５、１６を用いて説明する。図１５は、第６実施形態の光通信モジュール１Ｋの構成を説明するための図である。図１６は、サブアセンブリを説明するための図である。光通信モジュール１Ｋは、サブアセンブリ１８２を備えている。なお、光通信モジュール１Ｋにおいて、パッケージ１０１、スリーブ１０２、実装台１０４、及び回路部１０６は、第１実施形態の光通信モジュール１Ａと同様の構成であるため、詳細な説明は省略する。以下、光出射部１０８、光合波部１０９、サブアセンブリ１８２について詳細に説明する。
【０１２２】
光出射部１０８は、合波光Ｗ１を光路Ｌ１に出射すると共に、合波光Ｗ２を光路Ｌ２に出射する。光出射部１０８は、光源装置１２２，１２６，１２８，１３２、光学レンズ１２３，１２７，１２９，１３３、偏波回転部品１２４，１３１、光反射板１１２，１１３及び波長選択フィルタ１１４，１１６を備えている。
【０１２３】
光源装置１２２は、光路Ｌ５へ信号光Ｓ１を出射する。信号光Ｓ１は、例えば、中心波長が１２９５．５６ｎｍである波長帯域を有している。光路Ｌ５上には、光学レンズ１２３及び偏波回転部品１２４が配置されている。光源装置１２２、光学レンズ１２３、偏波回転部品１２４は、一の光源部を構成する。光源装置１２６は、光路Ｌ６へ信号光Ｓ２を出射する。信号光Ｓ２は、例えば、中心波長が１３００．０５ｎｍである波長帯域を有している。光路Ｌ６上には、光学レンズ１２７が配置されている。なお、光源装置１２６、及び光学レンズ１２７は、一の光源部を構成する。光源装置１２８は、光路Ｌ７へ信号光Ｓ３を出射する。信号光Ｓ３は、例えば、中心波長が１３０４．５８ｎｍである波長帯域を有している。光路Ｌ７上には、光学レンズ１２９及び偏波回転部品１３１が配置されている。光源装置１２８、光学レンズ１２９、偏波回転部品１３１は、一の光源部を構成する。光源装置１３２は、光路Ｌ９へ信号光Ｓ４を出射する。信号光Ｓ４は、例えば、中心波長が１３０９．１４ｎｍである波長帯域を有している。光路Ｌ９上には、光学レンズ１３３が配置されている。光源装置１３２、光学レンズ１３３は、一の光源部を構成する。
【０１２４】
光路Ｌ７上には、光反射板１１２が配置されている。光反射板１１２は、光路Ｌ７から入射された信号光Ｓ３を光路Ｌ８の方向へ反射する。光路Ｌ５と光路Ｌ８とが互いに交差する位置には、波長選択フィルタ１１４が配置されている。波長選択フィルタ１１４は、信号光Ｓ１の透過率の高いローパスフィルタである。波長選択フィルタ１１４は、光路Ｌ８から入射された信号光Ｓ３を光路Ｌ１の方向へ反射する。波長選択フィルタ１１４は、光路Ｌ５から入射された信号光Ｓ１を光路Ｌ１の方向へ透過する。
【０１２５】
光路Ｌ９上には、光反射板１１３が配置されている。光反射板１１３は、光路Ｌ９から入射された信号光Ｓ４を光路Ｌ１０の方向へ反射する。光路Ｌ６と光路Ｌ１０とが互いに交差する位置には、波長選択フィルタ１１６が配置されている。波長選択フィルタ１１６は、信号光Ｓ２の透過率の高いローパスフィルタである。波長選択フィルタ１１６は、光路Ｌ１０から入射された信号光Ｓ４を光路Ｌ２の方向へ反射する。波長選択フィルタ１１６は、光路Ｌ６から入射された信号光Ｓ２を光路Ｌ２の方向へ透過する。
【０１２６】
光合波部１０９は、光路Ｌ１から入射された合波光Ｗ１と、光路Ｌ２から入射された合波光Ｗ２とを重ね合わせて、合波光Ｗ３を生成し、光路Ｌ４へ出射する。光合波部１０９は、光反射板１３４、及び、偏波選択フィルタ１３６を備えている。
【０１２７】
光路Ｌ１上には、光反射板１３４が配置されている。光反射板１３４は、光路Ｌ１から入射された合波光Ｗ１を光路Ｌ３の方向へ反射する。光路Ｌ２と光路Ｌ３とが互いに交差する位置には、偏波選択フィルタ１３６が配置されている。偏波選択フィルタ１３６は、ｓ偏光の光を透過するフィルタである。偏波選択フィルタ１３６は、光路Ｌ３から入射された合波光Ｗ１を光路Ｌ４の方向へ反射する。偏波選択フィルタ１３６は、光路Ｌ２から入射された合波光Ｗ２を光路Ｌ４の方向へ透過する。
【０１２８】
サブアセンブリ１８２は、張り合わせブロック１８３、光反射板１１２，１１３、及び波長選択フィルタ１１４，１１６を備えている。張り合わせブロック１８３は、光路Ｌ８，Ｌ１０上に配置されている。張り合わせブロック１８３は、光学的に透明なガラス部材からなる。張り合わせブロック１８３は、側面１８４，１８６，１８７，１８８、及び端面１８９，１９１を有している。側面１８４，１８６は、長方形の形状を有している。側面１８７，１８８は、平行四辺形の形状を有している。
【０１２９】
側面１８４は、光路Ｌ７、Ｌ９と直交するように形成されている。側面１８４から、信号光Ｓ３が張り合わせブロック１８３に入射される。側面１８４に対する信号光Ｓ３の入射角は０度である。また、光源装置１３２から出射された信号光Ｓ４が張り合わせブロック１８３に入射される。側面１８４に対する信号光Ｓ４の入射角は０度である。なお、側面１８４には、信号光Ｓ３，Ｓ４の波長に対応するアンチリフレクションコーティング（ＡＲコーティング）が施されている。
【０１３０】
端面１８９は、端面１８９に対する信号光Ｓ３，Ｓ４の入射角が４５度となるように形成されている。端面１８９には、光反射板１１２，１１３が光学的に接続されている。このため、光反射板１１２，１１３に対する信号光Ｓ３，Ｓ４の入射角は４５度である。
【０１３１】
端面１８９の反対側の端面１９１は、光路Ｌ５と光路Ｌ８とが交差する位置に形成されている。端面１９１は、光路Ｌ６と光路Ｌ１０とが交差する位置に形成されている。端面１９１は、端面１９１に対する信号光Ｓ１，Ｓ２の入射角が４５度となるように形成されている。
【０１３２】
端面１９１には、波長選択フィルタ１１４が光学的に接続されている。このため、波長選択フィルタ１１４に対する信号光Ｓ１の入射角は４５度である。端面１９１には、波長選択フィルタ１１６が光学的に接続されている。このため、波長選択フィルタ１１６に対する信号光Ｓ２の入射角は４５度である。端面１９１は、光路Ｌ８に沿って入射される信号光Ｓ３の入射角が端面１９１に対して４５度となるように、形成されている。このため、波長選択フィルタ１１４に対する信号光Ｓ３の入射角は４５度である。また、端面１９１は、光路Ｌ１０に沿って入射される信号光Ｓ４の入射角が端面１９１に対して４５度となるように形成されている。このため、波長選択フィルタ１１６に対する信号光Ｓ４の入射角は４５度である。
【０１３３】
側面１８６は、光路Ｌ１，Ｌ２と直交するように形成されている。側面１８６からは、合波光Ｗ１，Ｗ２が出射される。
【０１３４】
このように、光通信モジュール１Ｋは、張り合わせブロック１８３に光反射板１１２，１１３及び波長選択フィルタ１１４，１１６が固定されたサブアセンブリ１８２を備えている。
【０１３５】
光通信モジュール１Ｋは、信号光Ｓ１〜Ｓ４を合波するために偏波選択フィルタ１３６を用いている。従って、光通信モジュール１Ｋは、高価な波長選択フィルタ１１４，１１６の数を減らし、かつ波長選択フィルタ１１４，１１６について、隣接する波長を飛ばした設計が可能となる。これにより、波長選択フィルタ１１４，１１６の設計を緩めることが可能となる。従って、実装トレランスを向上させることが可能となると共に、製造コストを下げることができる。
【０１３６】
更に、張り合わせブロックは、光反射板１１２及び波長選択フィルタ１１４を備える張り合わせブロック１５４と、光反射板１１３及び波長選択フィルタ１１６を備える張り合わせブロック１４６とが一体化されたものであってもよい。光通信モジュール１Ｋによれば、光反射板１１２，１１３、及び波長選択フィルタ１１４，１１６を一体のサブアセンブリとして容易に実装台１０４上に実装することができる。従って、光通信モジュール１Ｋは、さらに容易に製造可能である。
【０１３７】
＜第７実施形態＞
次に、第７実施形態の光通信モジュール１Ｌについて、図１７を用いて説明する。図１７は、第７実施形態の光通信モジュール１Ｌの構成を説明するための図である。光通信モジュール１Ｌは、３つの光源装置１２２，１２６，１２８を備えている。なお、光通信モジュール１Ｌにおいて、パッケージ１０１、スリーブ１０２、実装台１０４、及び回路部１０６は、第１実施形態の光通信モジュール１Ａと同様の構成であるため、詳細な説明を省略する。以下、光出射部１０８、及び光合波部１０９について詳細に説明する。
【０１３８】
光出射部１０８は、合波光Ｗ１を光路Ｌ１に出射すると共に、合波光Ｗ２を光路Ｌ２に出射する。光出射部１０８は、光源装置１２２，１２６，１２８、光学レンズ１２３，１２７，１２９、偏波回転部品１２４、光反射板１１２及び波長選択フィルタ１１４を備えている。
【０１３９】
光源装置１２２は、光路Ｌ５へ信号光Ｓ１を出射する。信号光Ｓ１は、例えば、中心波長が１２９５．５６ｎｍである波長帯域を有している。光路Ｌ５上には、光学レンズ１２３及び偏波回転部品１２４が配置されている。光源装置１２２、光学レンズ１２３、偏波回転部品１２４は、一の光源部を構成する。光源装置１２６は、光路Ｌ６へ信号光Ｓ２を出射する。信号光Ｓ２は、例えば、中心波長が１３００．０５ｎｍである波長帯域を有している。光路Ｌ６上には、光学レンズ１２７が配置されている。なお、光源装置１２６、及び光学レンズ１２７は、一の光源部を構成する。光源装置１２８は、光路Ｌ７へ信号光Ｓ３を出射する。信号光Ｓ３は、例えば、中心波長が１３０４．５８ｎｍである波長帯域を有している。光路Ｌ７上には、光学レンズ１２９及び偏波回転部品１３１が配置されている。光源装置１２８、光学レンズ１２９、偏波回転部品１３１は、一の光源部を構成する。
【０１４０】
光路Ｌ５上には、光反射板１１２が配置されている。光反射板１１２は、光路Ｌ５から入射された信号光Ｓ１を光路Ｌ８の方向へ反射する。光路Ｌ７と光路Ｌ８とが互いに交差する位置には、波長選択フィルタ１１４が配置されている。波長選択フィルタ１１４は、光路Ｌ８から入射された信号光Ｓ１を光路Ｌ１の方向へ反射する。波長選択フィルタ１１４は、光路Ｌ７から入射された信号光Ｓ３を光路Ｌ１の方向へ透過する。
【０１４１】
光合波部１０９は、光路Ｌ１から入射された合波光Ｗ１と、光路Ｌ２から入射された合波光Ｗ２とを重ね合わせて、合波光Ｗ３を生成し、光路Ｌ４へ出射する。光合波部１０９は、光反射板１３４、及び、偏波選択フィルタ１３６を備えている。
【０１４２】
光路Ｌ１上には、光反射板１３４が配置されている。光反射板１３４は、光路Ｌ１から入射された合波光Ｗ１を光路Ｌ３の方向へ反射する。光路Ｌ２と光路Ｌ３とが互いに交差する位置には、偏波選択フィルタ１３６が配置されている。偏波選択フィルタ１３６は、光路Ｌ３から入射された合波光Ｗ１を光路Ｌ４の方向へ反射する。偏波選択フィルタ１３６は、光路Ｌ２から入射された合波光Ｗ２を光路Ｌ４の方向へ透過する。
【０１４３】
光通信モジュール１Ｌは、信号光Ｓ１〜Ｓ４を合波するために偏波選択フィルタ１３６を用いている。従って、光通信モジュール１Ｌは、高価な波長選択フィルタ１１４，１１６の数を減らし、かつ波長選択フィルタ１１４，１１６について、隣接する波長を飛ばした設計が可能となる。これにより、波長選択フィルタ１１４，１１６の設計を緩めることが可能となる。従って、実装トレランスを向上させることが可能となると共に、製造コストを下げることができる。
【０１４４】
光通信モジュール１Ｌによれば、３つの光源装置１２２，１２６，１２８から出射された３つの信号光Ｓ１〜Ｓ３を合波して合波光Ｗ３を得ることができる。
【０１４５】
なお、第１〜第７実施形態は、本発明に係る光通信モジュールの一例を示すものである。本発明に係る光通信モジュールは、第１〜第７実施形態に限られるものではない。
【０１４６】
第１〜第７実施形態では、光通信モジュールが備える光源部の数が３つ或いは４つである場合を例に説明した。本発明の光通信モジュールが備える光源部の数はこれに制限されることはない。例えば、光通信モジュールが備える光源部の数は、５つ以上であってもよい。この場合、複数の光源部から出射される信号光の波長の大きさが、Ｓ１＞Ｓ２＞Ｓ３＞Ｓ４＞Ｓ５＞・・・であるとすると、符号Ｓに付された数字が奇数の信号光（例えば、Ｓ１、Ｓ３、Ｓ５…）、或いは符号Ｓに付された数字が偶数の信号光（例えば、Ｓ２、Ｓ４、Ｓ６…）を偏波回転部品に入射させる。
【０１４７】
図１８は、第１実施形態の光通信モジュール１Ａの変形例である光通信モジュール１Ｍの構成を説明するための図である。光通信モジュール１Ｍは、光通信モジュール１Ａに対して、光源装置から出射される光がｐ偏光である点と、スリーブ１０２における光学レンズ１３８とアイソレータ１８５の位置と、が主に変更されている。これら変更点は、光通信モジュール１Ａの技術的範囲に含まれるものである。以下、光通信モジュール１Ａと相違する点について主に説明する。
【０１４８】
光通信モジュール１Ｍは、ｓ偏光の信号光Ｓ１を出射する光源装置１２２に代えて、ｐ偏光であり波長λ１の信号光Ｐ１を出射する光源装置１２２＿１を備えている。光通信モジュール１Ｍは、ｓ偏光の信号光Ｓ２を出射する光源装置１２６に代えて、ｐ偏光であり波長λ２の信号光Ｐ２を出射する光源装置１２６＿１を備えている。光通信モジュール１Ｍは、ｓ偏光の信号光Ｓ３を出射する光源装置１２８に代えて、ｐ偏光であり波長λ３の信号光Ｐ３を出射する光源装置１２８＿１を備えている。光通信モジュール１Ｍは、ｓ偏光の信号光Ｓ４を出射する光源装置１３２に代えて、ｐ偏光であり波長λ４の信号光Ｐ４を出射する光源装置１３２＿１を備えている。なお、光源装置１２２＿１，１２６＿１，１２８＿１，１３２＿１は、パッケージ１０１に対して、光源装置１２２，１２６，１２８，１３２と同様に配置されている。
【０１４９】
光通信モジュール１Ｍは、偏波回転部品１２４に代えて偏波回転部品１２４＿１を備え、偏波回転部品１３１に代えて偏波回転部品１３１＿１を備えている。偏波回転部品１２４＿１及び偏波回転部品１３１＿１は、通過した光の偏波面の角度を９０度回転する。光通信モジュール１Ｍでは、偏波回転部品１２４＿１及び偏波回転部品１３１＿１に入射されたｐ偏光の光は、ｓ偏光の光に転換される。なお、偏波回転部品１２４＿１がパッケージ１０１において配置される位置は偏波回転部品１２４と同様であり、偏波回転部品１３１＿１がパッケージ１０１において配置される位置は偏波回転部品１３１と同様である。
【０１５０】
光通信モジュール１Ｍは、波長選択フィルタ１１４に代えて波長選択フィルタ１１４＿１を備え、波長選択フィルタ１１６に代えて波長選択フィルタ１１６＿１を備え、さらに、偏波選択フィルタ１３６に代えて偏波選択フィルタ１３６＿１を備えている。なお、波長選択フィルタ１１４＿１が配置される位置は、波長選択フィルタ１１４と同様であり、波長選択フィルタ１１６＿１が配置される位置は波長選択フィルタ１１６と同様であり、偏波選択フィルタ１３６＿１が配置される位置は偏波選択フィルタ１３６＿１と同様である。
【０１５１】
図１９を参照して、波長選択フィルタ１１４＿１の光学特性を説明する。波長選択フィルタ１１４＿１は、信号光Ｐ３の透過率が高いハイパスフィルタである。図１９の（ａ）部は、波長選択フィルタ１１４＿１に入射された光の波長に対する透過率を示す。図１９の（ａ）部に示された特性は、信号光Ｐ１〜Ｐ４の偏光がｓ偏光であり、波長選択フィルタ１１４＿１への光の入射角度が４５度であるときの特性である。波長選択フィルタ１１４＿１では、信号光Ｐ３が減衰されることなく透過され、信号光Ｐ１は−１０ｄＢ以下に減衰される。即ち、信号光Ｐ１は波長選択フィルタ１１４＿１を透過することなく、波長選択フィルタ１１４＿１により反射される。
【０１５２】
波長選択フィルタ１１６＿１の光学特性を説明する。波長選択フィルタ１１６＿１は、信号光Ｐ２の透過率が高いローパスフィルタである。図１９の（ｂ）部は、波長選択フィルタ１１６＿１に入射された光の波長に対する透過率を示す。図１９の（ｂ）部に示された特性は、信号光Ｐ１〜Ｐ４の偏光がｐ偏光であり、波長選択フィルタ１１６＿１への光の入射角度が４５度であるときの特性である。波長選択フィルタ１１６＿１では、信号光Ｐ２が減衰されることなく透過され、信号光Ｐ４は−１０ｄＢ以下に減衰される。即ち、信号光Ｐ４は波長選択フィルタ１１６＿１を透過することなく、波長選択フィルタ１１６＿１により反射される。
【０１５３】
偏波選択フィルタ１３６＿１の光学特性を説明する。偏波選択フィルタ１３６＿１は、ｐ偏光の光を透過するフィルタである。図１９の（ｃ）部は、偏波選択フィルタ１３６＿１に入射される光の偏波角度に対する透過率を示す。図１９の（ｃ）部に示された特性は、偏波選択フィルタ１３６＿１への光の入射角度が４５度であるときの特性である。偏波選択フィルタ１３６では、ｐ偏光の偏光状態である合波光Ｗ２は減衰されること無く透過される。一方、ｓ偏光の偏光状態である合波光Ｗ１は−２０ｄＢ以下に減衰される。即ち、合波光Ｗ１は、偏波選択フィルタ１３６を透過することなく、偏波選択フィルタ１３６＿１により反射される。このように、偏波選択フィルタ１３６＿１は、合波光Ｗ１の進行する方向と、合波光Ｗ２の進行する方向とを同じ方向に変換する。従って、偏波選択フィルタ１３６＿１からは、合波光Ｗ１に合波光Ｗ２が重ねあわされた合波光Ｗ３が出射される。
【０１５４】
また、図１８に示すように、光通信モジュール１Ａでは、合波光Ｗ３の進行方向に沿って、光路Ｌ４上にアイソレータ１３７及び光学レンズ１３８がこの順に配置されていた（図１参照）。しかし、アイソレータ１３７と光学レンズ１３８とが配置される順番は、これに限定されない。合波光Ｗ３の進行方向に沿って、光路Ｌ３上に、光学レンズ１３８、アイソレータ１８５の順に配置されてもよい。このような構成では、合光波Ｗ３は、光学レンズ１３８により収束され、アイソレータ１８５を通過して光ファイバ１３９に光学的に結合される。そして、合光波Ｗ３は、光ファイバ１３９を介して外部に出射される。
【０１５５】
このような構成を有する光通信モジュール１Ｍによれば、偏波選択フィルタ１３６＿１に、ｐ偏光の光を通過させ、且つ、ｓ偏光の光を反射する光学特性を有するフィルタが用いられる。このような光学特性を有する偏波選択フィルタ１３６＿１は、良好な光学特性を有すると共に、容易に製造できる。さらに、光通信モジュール１Ｍによれば、偏波選択フィルタ１３６＿１の製造コストを下げることができる。
【０１５６】
図２０は、光通信モジュール１Ａの別の変形例である光通信モジュール１Ｎの構成を説明するための図である。光通信モジュール１Ｎは、光通信モジュール１Ａに対して、光源装置から出射される光がｐ偏光である点と、スリーブ１０２における光学レンズ１３８とアイソレータ１８５の位置と、偏波回転部品１３１＿２が配置される位置とその数とが主に変更されている。これら変更点は、光通信モジュール１Ａの技術的範囲に含まれるものである。また、光通信モジュール１Ａと相違する点において、光源装置から出射される光がｐ偏光である点は、光通信モジュール１Ｎと同様であるため、光源装置１２２＿１，１２６＿１，１２８＿１，１３２＿１の説明を省略する。以下、偏波回転部品１３１＿２、波長選択フィルタ１１４＿２，１１６＿２、及び偏波選択フィルタ１３６＿２について主に説明する。
【０１５７】
光通信モジュール１Ｎは、光路Ｌ１上に配置された１つの偏波回転部品１３１＿２を備えている。偏波回転部品１３１＿２には、波長選択フィルタ１１４＿２により合波された合波光Ｗ１が入射される。合波光Ｗ１は、ｐ偏光の信号光Ｐ１と、ｐ偏光の信号光Ｐ３とが重ねあわされた光であるため、ｐ偏光の光である。偏波回転部品１３１＿２に入射されたｐ偏光の合波光Ｗ１は、ｓ偏光の光に転換される。
【０１５８】
偏波回転部品１３１＿２は、偏波回転部品１３１と同様に、複屈折ポリマーをガラス板で挟んだもの、或いは、水晶板を張り合わせたものなどが用いられてもよい。また、偏波回転部品１３１＿２は、水晶からなる板であってもよい。一般的に水晶の板は厚さが薄いため取り扱いが困難である。そこで、偏波回転部品１３１＿２には、石英の板にＡＲコーティングを施した板部材を用いてもよい。
【０１５９】
図２１を参照して、波長選択フィルタ１１４＿２の光学特性を説明する。波長選択フィルタ１１４＿２は、信号光Ｐ３の透過率が高いハイパスフィルタである。図２１の（ａ）部は、波長選択フィルタ１１４＿２に入射された光の波長に対する透過率を示す。図２１の（ａ）部に示された特性は、信号光Ｐ１〜Ｐ４の偏光がｐ偏光であり、波長選択フィルタ１１４＿２への光の入射角度が４５度であるときの特性である。波長選択フィルタ１１４＿２では、信号光Ｐ３が減衰されることなく透過され、信号光Ｐ１は−１０ｄＢ以下に減衰される。即ち、信号光Ｐ１は波長選択フィルタ１１４＿１を透過することなく、波長選択フィルタ１１４＿２により反射される。
【０１６０】
波長選択フィルタ１１６＿２の光学特性を説明する。波長選択フィルタ１１６＿２は、信号光Ｐ２の透過率が高いローパスフィルタである。図２１の（ｂ）部は、波長選択フィルタ１１６＿２に入射された光の波長に対する透過率を示す。図２１の（ｂ）部に示された特性は、信号光Ｐ１〜Ｐ４の偏光がｐ偏光であり、波長選択フィルタ１１６＿２への光の入射角度が４５度であるときの特性である。波長選択フィルタ１１６＿２では、信号光Ｐ２が減衰されることなく透過され、信号光Ｐ４は−１０ｄＢ以下に減衰される。即ち、信号光Ｐ４は波長選択フィルタ１１６＿２を透過することなく、波長選択フィルタ１１６＿２により反射される。
【０１６１】
偏波選択フィルタ１３６＿２の光学特性を説明する。偏波選択フィルタ１３６＿２は、ｐ偏光の光を透過するフィルタである。図２１の（ｃ）部は、偏波選択フィルタ１３６＿２に入射される光の偏波角度に対する透過率を示す。図２１の（ｃ）部に示された特性は、偏波選択フィルタ１３６＿２への光の入射角度が４５度であるときの特性である。偏波選択フィルタ１３６＿２では、ｐ偏光の偏光状態である合波光Ｗ２は減衰されること無く透過される。一方、ｓ偏光の偏光状態である合波光Ｗ１は−２０ｄＢ以下に減衰される。即ち、合波光Ｗ１は、偏波選択フィルタ１３６＿２を透過することなく、偏波選択フィルタ１３６＿２により反射される。このように、偏波選択フィルタ１３６＿２は、合波光Ｗ１の進行する方向と、合波光Ｗ２の進行する方向とを同じ方向に変換する。従って、偏波選択フィルタ１３６＿２からは、合波光Ｗ１に合波光Ｗ２が重ねあわされた合波光Ｗ３が出射される。
【０１６２】
このような構成を有する光通信モジュール１Ｎによれば、光通信モジュール１Ｍと同様の効果を得ることができる。さらに、光通信モジュール１Ｎによれば、光通信モジュール１Ｎを構成するために必要な偏波回転部品１３１＿２の数を低減することができる。従って、光通信モジュール１Ｎの製造コストを更に下げることができる。
【０１６３】
図２２は、光通信モジュール１Ｋの変形例である光通信モジュール１Ｐの構成を説明するための図である。光通信モジュール１Ｐは、光通信モジュール１Ｋに対して、光源装置から出射される光がｐ偏光である点と、スリーブ１０２における光学レンズ１３８とアイソレータ１８５の位置と、偏波回転部品１２４＿３が配置される位置及びその数と、光反射板１３４と波長選択フィルタ１３６＿３と有するサブアセンブリ２００を備えている点と、が主に変更されている。これら変更点は、光通信モジュール１Ｋの技術的範囲に含まれるものである。以下、光通信モジュール１Ｋと相違する点について主に説明する。なお、光源装置から出射される光がｐ偏光である点は、光通信モジュール１Ｎと同様であるため、光源装置１２２＿１，１２６＿１，１２８＿１，１３２＿１の説明を省略する。
【０１６４】
光通信モジュール１Ｐは、光路Ｌ１上に配置された１つの偏波回転部品１２４＿３を備えている。偏波回転部品１２４＿３には、波長選択フィルタ１１４＿３により合波された合波光Ｗ１が入射される。合波光Ｗ１は、ｐ偏光の信号光Ｐ１と、ｐ偏光の信号光Ｐ３とが重ねあわされた光であるため、ｐ偏光の光である。偏波回転部品１２４＿３に入射されたｐ偏光の合波光Ｗ１は、ｓ偏光の光に転換される。
【０１６５】
偏波回転部品１２４＿３は、偏波回転部品１２４と同様に、複屈折ポリマーをガラス板で挟んだもの、或いは、水晶板を張り合わせたものなどが用いられてもよい。また、偏波回転部品１２４＿３は、水晶からなる板であってもよい。一般的に水晶の板は厚さが薄いため取り扱いが困難である。そこで、偏波回転部品１２４＿３には、石英の板にＡＲコーティングを施した板部材を用いてもよい。
【０１６６】
図２３を参照して、波長選択フィルタ１１４＿３の光学特性を説明する。波長選択フィルタ１１４＿３は、信号光Ｐ１の透過率の高いローパスフィルタである。図２３の（ａ）部は、波長選択フィルタ１１４＿３に入射された光の波長に対する透過率を示す。図２３の（ａ）部に示された特性は、信号光Ｐ１〜Ｐ４の偏光がｐ偏光であり、波長選択フィルタ１１４＿３への光の入射角度が４５度であるときの特性である。波長選択フィルタ１１４＿３では、信号光Ｐ１が減衰されることなく透過され、信号光Ｐ３は−１０ｄＢ以下に減衰される。即ち、信号光Ｐ３は波長選択フィルタ１１４＿１を透過することなく、波長選択フィルタ１１４＿３により反射される。
【０１６７】
波長選択フィルタ１１６＿３の光学特性を説明する。波長選択フィルタ１１６＿３は、信号光Ｐ２の透過率の高いローパスフィルタである。図２３の（ｂ）部は、波長選択フィルタ１１６＿３に入射された光の波長に対する透過率を示す。図２３の（ｂ）部に示された特性は、信号光Ｐ１〜Ｐ４の偏光がｐ偏光であり、波長選択フィルタ１１６＿３への光の入射角度が４５度であるときの特性である。波長選択フィルタ１１６＿３では、信号光Ｐ２が減衰されることなく透過され、信号光Ｐ４は−１０ｄＢ以下に減衰される。即ち、信号光Ｐ４は波長選択フィルタ１１６＿３を透過することなく、波長選択フィルタ１１６＿３により反射される。
【０１６８】
偏波選択フィルタ１３６＿３の光学特性を説明する。偏波選択フィルタ１３６＿３は、ｐ偏光の光を透過するフィルタである。図２１の（ｃ）部は、偏波選択フィルタ１３６＿１に入射される光の偏波角度に対する透過率を示す。図２１の（ｃ）部に示された特性は、偏波選択フィルタ１３６＿２への光の入射角度が４５度であるときの特性である。偏波選択フィルタ１３６＿２では、ｐ偏光の偏光状態である合波光Ｗ２は減衰されること無く透過される。一方、ｓ偏光の偏光状態である合波光Ｗ１は−２０ｄＢ以下に減衰される。即ち、合波光Ｗ１は、偏波選択フィルタ１３６＿２を透過することなく、偏波選択フィルタ１３６＿２により反射される。
【０１６９】
このように、偏波選択フィルタ１３６＿２は、合波光Ｗ１の進行する方向と、合波光Ｗ２の進行する方向とを同じ方向に変換する。従って、偏波選択フィルタ１３６＿２からは、合波光Ｗ１に合波光Ｗ２が重ねあわされた合波光Ｗ３が出射される。
【０１７０】
図２４を参照すると、サブアセンブリ２００は、張り合わせブロック２０１、光反射板１３４、及び波長選択フィルタ１３６＿３を備えている。張り合わせブロック２０１は、光路Ｌ１及び光路Ｌ２上に配置されている。張り合わせブロック２０１は、直方体の外形を有する光学的に透明なガラス部材からなる。
【０１７１】
張り合わせブロック２０１の側面２０２の一部２０２ａは、光路Ｌ１と交差し、合波光Ｗ１が入射される。また、側面２０２の別の部分２０２ｂは、光路Ｌ２と交差し、交差する部分には偏波選択フィルタ１３６＿３が形成されている。
【０１７２】
張り合わせブロック２０１は、一の側面２０２の反対側にある別の側面２０３を有する。側面２０３の一部２０３ａには光反射膜１３４が形成されている。また、側面２０３の別の部分２０３ｂは光路Ｌ２と交差している。
【０１７３】
サブアセンブリ２００を製造する方法を説明する、まず、直方体の張り合わせブロック２０１を準備する。続いて、側面２０２の全面に偏波選択フィルタ１３６＿３を形成する。次に、側面２０３の全面に光反射膜１３４を形成する。側面２０２において、合波光Ｗ１が入射される部分に形成されている偏波選択フィルタ１３６＿３を研磨等により除去して、張り合わせブロック２０１の表面２０２ａを露出させる。そして、側面２０３において、合波光Ｗ３が出射される部分に形成されている光反射膜１３４を研磨等により除去して、張り合わせブロック２０１の表面２０３ａを露出させる。以上の工程により、サブアセンブリ２００が製造される。
【０１７４】
このような構成を有する光通信モジュール１Ｎによれば、サブアセンブリ２００を容易に製造できる。従って、光通信モジュール１Ｐの製造コストを下げることができる。
【０１７５】
なお、直方体の形状を有する張り合わせブロック２０１は、例えば、光反射板１１２と波長選択フィルタ１１４＿３とを一体に形成する構成に用いてもよい。また、張り合わせブロック２０１は、光反射板１１３と波長選択フィルタ１１６＿３とを一体に形成する構成に用いてもよい。
【符号の説明】
【０１７６】
１Ａ〜１Ｌ…光通信モジュール、１０１…パッケージ、１０２…スリーブ、１０３…端部、１０４…実装台、１０６…回路部、１０７…光学部、１０８…光出射部、１０９…光合波部、１１２，１１３，１３４…光反射板、１１４，１１６，１１４＿１，１１６＿１，１１４＿２，１１６＿２，１１４＿３，１１６＿３…波長選択フィルタ、１２２，１２６，１２８，１３２，１２２＿１，１２６＿１，１２８＿１，１３２＿１…光源装置、１２３，１２７，１２９，１３３，１３８…光学レンズ、１２４，１３１，１２４＿１，１３１＿１，１２４＿２，１３１＿２，１２４＿３，１３１＿３…偏波回転部品、１３６，１３６＿１，１３６＿２，１３６＿３…偏波選択フィルタ、１３７，１８５…アイソレータ、１３９…光ファイバ、１４１…フェルール、１４２，１４３，１４４，１７２，１８２，２００…サブアセンブリ、１４６，１５４，１７３，１８３，２０１…張り合わせブロック、Ｓ１〜Ｓ４，Ｐ１〜Ｐ４…信号光、Ｗ１〜Ｗ３…合波光、Ｌ１〜Ｌ９…光路。
【図１】
2013145356.tif 000003
【図２】
2013145356.tif 000004
【図３】
2013145356.tif 000005
【図４】
2013145356.tif 000006
【図５】
2013145356.tif 000007
【図６】
2013145356.tif 000008
【図７】
2013145356.tif 000009
【図８】
2013145356.tif 000010
【図９】
2013145356.tif 000011
【図１０】
2013145356.tif 000012
【図１１】
2013145356.tif 000013
【図１２】
2013145356.tif 000014
【図１３】
2013145356.tif 000015
【図１４】
2013145356.tif 000016
【図１５】
2013145356.tif 000017
【図１６】
2013145356.tif 000018
【図１７】
2013145356.tif 000019
【図１８】
2013145356.tif 000020
【図１９】
2013145356.tif 000021
【図２０】
2013145356.tif 000022
【図２１】
2013145356.tif 000023
【図２２】
2013145356.tif 000024
【図２３】
2013145356.tif 000025
【図２４】
2013145356.tif 000026